(57)【要約】【課題】  この発明は、ユーザニーズに応じたモニタ音声が得られるファクシミリ装置を提供することを目的とする。【解決手段】  ファクシミリ装置側から回線側に送信されるモニタ用信号の音量を調整するための第１の音量調整回路、ファクシミリ装置側から回線側へ送信される信号の音量を調整するための第２の音量調整回路、第１の音量設定手段によって設定された各分類毎の音量に基づいて、第１の音量調整回路を制御する第１の制御手段、ならびに第２の音量設定手段によって設定された各分類毎の音量に基づいて、第２の音量調整回路を制御する第２の制御手段を備えている。【選択図】  図１
2006128976.tif 000002
【特許請求の範囲】
【請求項１】
ファクシミリ通信時に、ファクシミリ装置側から回線側に送信される信号と、回線側からファクシミリ装置側へ送信される信号とがモニタ用音声として出力されるファクシミリ装置において、
ファクシミリ装置側から回線側に送信されるモニタ用信号が複数に分類され、各分類毎に音量を設定させるための第１の音量設定手段、
回線側からファクシミリ装置側に送信されるモニタ用信号が複数に分類され、各分類毎に音量を設定させるための第２の音量設定手段、
ファクシミリ装置側から回線側に送信されるモニタ用信号の音量を調整するための第１の音量調整回路、
ファクシミリ装置側から回線側へ送信される信号の音量を調整するための第２の音量調整回路、
第１の音量設定手段によって設定された各分類毎の音量に基づいて、第１の音量調整回路を制御する第１の制御手段、ならびに
第２の音量設定手段によって設定された各分類毎の音量に基づいて、第２の音量調整回路を制御する第２の制御手段、
を備えていることを特徴とするファクシミリ装置。
【請求項２】
第１の音量設定手段はダイヤル音の音量と、ＦＡＸ音の音量とを別々に設定させるためのものであり、第２の音量設定手段は、ダイヤルトーンの音量と、リングバックトーンおよびビジートーンの音量とを別々に設定させるためのものであることを特徴とする請求項１に記載のファクシミリ装置。
【発明の詳細な説明】
【技術分野】
【０００１】
この発明は、ファクシミリ装置に関する。
【背景技術】
【０００２】
ファクシミリ装置として、故障診断のために、画像送受信信号、プロトコル、各種トーン信号等をモニタ用スピーカに出力させるものが知られている。このようなモニタ用信号と、他の用途の信号、例えば、キーを操作したときのキー操作音や、エラー音を、同一のモニタ用スピーカに出力させようとした場合に、１個のアンプ（加算アンプ）を使用してこれらの信号を加算すると、他の用途の信号が送受信経路（回線）に回り込んでしまう。その結果、通信ノイズが発生し、画像エラー、通信エラーが発生するおそれがある。
【０００３】
そこで、他の用途の信号の設定音量に応じて、画像送受信信号、プロトコル、各種トーン信号等のモニタ用信号の加算アンプにおけるゲインを切り替えることにより、他の用途の信号の送受信経路への回り込みを防止するものが開発されている（特開平８−２２８２４７号公報参照）。
【０００４】
また、交換機側からファクシミリ装置側へ送信される信号（ダイヤル可を通知するダイヤルトーン（ＤＴ）、相手の呼出中を通知するリングバックトーン（ＲＢＴ）、相手の通話中を通知するビジートーン（ＢＴ））や、ファクシミリ装置側から交換機側へ送信される信号（ダイヤル音（ＤＴＭＦ）、ＦＡＸ音）を、モニタ用音声としてモニタ用スピーカから出力できるファクシミリ装置として、ダイヤル音のみ小さくさせるものが既に開発されている（特開平１０−３２７２２８号公報参照）。
【０００５】
ところで、モニタ用音声としてモニタ用スピーカから出力される音には、ダイヤルトーン（ＤＴ）、リングバックトーン（ＲＢＴ）、ビジートーン（ＢＴ）、ダイヤル音（ＤＴＭＦ）、ＦＡＸ音等があるが、どの音が必要で、どの音が不要であるかは、ユーザによって異なる。したがって、モニタ用音声としてモニタ用スピーカから出力される音を、細かく分類して音量調整することができれば、ユーザニーズに応じたモニタ音声が得られる。
【特許文献１】特開平８−２２８２４７号公報
【特許文献２】特開平１０−３２７２２８号公報
【発明の開示】
【発明が解決しようとする課題】
【０００６】
この発明は、ユーザニーズに応じたモニタ音声が得られるファクシミリ装置を提供することを目的とする。
【課題を解決するための手段】
【０００７】
請求項１に記載の発明は、ファクシミリ通信時に、ファクシミリ装置側から回線側に送信される信号と、回線側からファクシミリ装置側へ送信される信号とがモニタ用音声として出力されるファクシミリ装置において、ファクシミリ装置側から回線側に送信されるモニタ用信号が複数に分類され、各分類毎に音量を設定させるための第１の音量設定手段、回線側からファクシミリ装置側に送信されるモニタ用信号が複数に分類され、各分類毎に音量を設定させるための第２の音量設定手段、ファクシミリ装置側から回線側に送信されるモニタ用信号の音量を調整するための第１の音量調整回路、ファクシミリ装置側から回線側へ送信される信号の音量を調整するための第２の音量調整回路、第１の音量設定手段によって設定された各分類毎の音量に基づいて、第１の音量調整回路を制御する第１の制御手段、ならびに第２の音量設定手段によって設定された各分類毎の音量に基づいて、第２の音量調整回路を制御する第２の制御手段を備えていることを特徴とする。
【０００８】
請求項２に記載の発明は、請求項１に記載のファクシミリ装置において、第１の音量設定手段はダイヤル音の音量と、ＦＡＸ音の音量とを別々に設定させるためのものであり、第２の音量設定手段は、ダイヤルトーンの音量と、リングバックトーンおよびビジートーンの音量とを別々に設定させるためのものであることを特徴とする。
【発明の効果】
【０００９】
この発明によれば、ユーザニーズに応じたモニタ音声が得られるようになる。
【発明を実施するための最良の形態】
【００１０】
以下、図面を参照して、この発明を複写機に適用した場合の実施例について説明する。
【実施例１】
【００１１】
図１は、ファクシミリ装置のモニタ音声出力に関する回路を示している。
【００１２】
図１において、破線は、モニタ用信号の流れを示している。
【００１３】
１は、ファクシミリ装置全体を制御するＣＰＵである。２は、ＣＰＵ１に接続された操作部２である。３は、通信信号を生成するためのモデムである。４は、モデム３から送られてくるモニタ用信号（ダイヤルトーン（ＤＴ）、リングバックトーン（ＲＢＴ）、ビジートーン（ＢＴ）、ダイヤル音（ＤＴＭＦ）、ＦＡＸ音（ピーガーという音））と、ＣＰＵ１から送られてくる複数の信号（キー操作音、警告音等の信号）を切り替えるためのアナログスイッチである。５は、アナログスイッチ４によって選択された信号を増幅する出力アンプである。６は、アンプ５の出力信号を音声として出力するモニタ用スピーカである。
【００１４】
７は、ＮＣＵ基板である。８は、モデム３からの送信信号を増幅してＮＣＵ基板７に送る送信用アンプである。９は、ＮＣＵ基板７からの受信信号を増幅してモデム３に送る受信用アンプである。
【００１５】
モデム３内には、モニタ用信号に関する回路のみが表示されている。モデム３によって生成されるダイヤル音（ＤＴＭＦ）、ＦＡＸ音等の信号は、モデム３内の第１の利得可変アンプ１１を介して、モデム３内の加算器１３に送られるとともに、送信用アンプ８に送られる。
【００１６】
受信用アンプ９からモデム３に入力されるダイヤルトーン（ＤＴ）、リングバックトーン（ＲＢＴ）、ビジートーン（ＢＴ）等の信号は、モデム３内の第２の利得可変アンプ１２を介して、モデム３内の加算器１３に送られる。
【００１７】
加算器１３は、第１の利得可変アンプ１１からの信号と第２の利得可変アンプ１２からの信号とを加算する。加算器１３の出力信号は、アナログスイッチ４に送られる。
【００１８】
第１の利得可変アンプ１１および第２の利得可変アンプ１２は、ＣＰＵ１によって制御される。アナログスイッチ４も、ＣＰＵ１によって制御される。
【００１９】
このファクシミリ装置においては、ユーザによって、各種のモニタ用音声について音量設定ができるようになっている。具体的には、次の（１）〜（４）について音量を、大、中、小、無音（音量零）の４段階に設定することができるようになっている。
【００２０】
（１）ダイヤルトーン（ＤＴ）：音量設定値Ｑ（ＤＴ）
（２）リングバックトーン（ＲＢＴ）およびビジートーン（ＢＴ）：音量設定値Ｑ（ＲＢＴ）
（３）ダイヤル音（ＤＴＭＦ）：音量設定値Ｑ（ＤＴＭＦ）
（４）ＦＡＸ音：音量設定値Ｑ（ＦＡＸ）
【００２１】
ここでは、上記（１）〜（４）の音について既に音量設定が行われているものとする。なお、音量設定は、数値による設定であってもよい。
【００２２】
図２は、ファクシミリ装置の送信時の動作を示している。
【００２３】
ＯＮ−ＨＯＯＫ状態（ステップＳ１）からＯＦＦ−ＨＯＯＫ状態（ステップＳ２）になると、つまり、送信指令が入力されると、第１の利得可変アンプ１１のゲインがダイヤル音の音量設定値Ｑ（ＤＴＭＦ）に基づいて制御されるとともに、第２の利得可変アンプ１２のゲインがダイヤルトーン（ＤＴ）の音量設定値Ｑ（ＤＴ）に基づいて制御される（ステップＳ３）。
【００２４】
回線側からダイヤルトーン（ＤＴ）信号が送られてくると、ダイヤルトーン（ＤＴ）信号が、ＮＣＵ基板７、受信用アンプ９、第２の利得可変アンプ１２、加算器１３、アナログスイッチ４および出力アンプ５を介してモニタ用スピーカ６に送られるので、ダイヤルトーン（ＤＴ）が音声出力される（ステップＳ４）。
【００２５】
この後、ダイヤル送信が行われる（ステップＳ５）。この際、ＤＴＭＦ信号が、第１の利得可変アンプ１１、加算器１３、アナログスイッチ４および出力アンプ５を介してモニタ用スピーカ６に送られるので、ダイヤル音（ＤＴＭＦ）が音声出力される（ステップＳ６）。
【００２６】
ダイヤル送信が終了すると、第１の利得可変アンプ１１のゲインがリングバックトーン（ＲＢＴ）およびビジートーン（ＢＴ）の音量設定値Ｑ（ＲＢＴ）に基づいて制御されるとともに、第２の利得可変アンプ１１のゲインがＦＡＸ音の音量設定値Ｑ（ＦＡＸ）に基づいて制御される（ステップＳ７）。ダイヤル送信が終了した後において、通信相手が話中であれば（ステップＳ８でＹＥＳ）、回線側からビジートーン（ＢＴ）信号が送られてくる。通信相手が話中でなければ（ステップＳ８でＮＯ）、回線側からリングバックトーン（ＲＢＴ）信号が送られてくる。
【００２７】
回線側からビジートーン（ＢＴ）信号が送られてきた場合には、ビジートーン（ＢＴ）信号が、ＮＣＵ基板７、受信用アンプ９、第２の利得可変アンプ１２、加算器１３、アナログスイッチ４および出力アンプ５を介してモニタ用スピーカ６に送られるので、ビジートーン（ＢＴ）が音声出力される（ステップＳ９）。この後、ＯＮ−ＨＯＯＫ状態となる（ステップＳ１０）。
【００２８】
回線側からリングバックトーン（ＲＢＴ）信号が送られてきた場合には、リングバックトーン（ＲＢＴ）信号が、ＮＣＵ基板７、受信用アンプ９、第２の利得可変アンプ１２、加算器１３、アナログスイッチ４および出力アンプ５を介してモニタ用スピーカ６に送られるので、リングバックトーン（ＲＢＴ）が音声出力される（ステップＳ１１）。そして、着呼が行われると（ステップＳ１２）、ＦＡＸ信号が出力される。ＦＡＸ信号は、第１の利得可変アンプ１１、加算器１３、アナログスイッチ４および出力アンプ５を介してモニタ用スピーカ６に送られるので、ＦＡＸ信号が音声出力される（ステップＳ１３）。
【００２９】
この後、ファクシミリ通信が行われる（ステップＳ１４）。ファクシミリ通信が完了すると、ＯＮ−ＨＯＯＫ状態となる（ステップＳ１５）。
【００３０】
上記実施例によれば、（１）ダイヤルトーン（ＤＴ）、（２）リングバックトーン（ＲＢＴ）およびビジートーン（ＢＴ）、（３）ダイヤル音（ＤＴＭＦ）ならびに（４）ＦＡＸ音毎に、音量を設定でき、ユーザニーズに応じたモニタ音声が得られるようになる。
【図面の簡単な説明】
【００３１】
【図１】ファクシミリ装置のモニタ音声出力に関する回路を示す電気回路図である。
【図２】ファクシミリ装置の送信時の動作を示すフローチャートである。
【符号の説明】
【００３２】
１  ＣＰＵ
２  操作部
３  モデム
４  アナログスイッチ
５  出力アンプ
６  モニタ用スピーカ
７  ＮＣＵ基板
８  送信用アンプ
９  受信用アンプ
１１  第１の利得可変アンプ
１２  第２の利得可変アンプ
１３  加算器
【図１】
2006128976.tif 000003
【図２】
2006128976.tif 000004